(57)【特許請求の範囲】
【請求項１】
２次元状に配置された複数の画素であって、各々が、光学系により結像される被写体像による入射光に応じた信号電荷を生成し蓄積する光電変換部を有する複数の画素と、
前記複数の画素から信号を読み出す制御を行う読み出し制御手段と、
を備え、
前記複数の画素は、前記被写体像を示す画像信号を形成するための撮像用信号を出力する複数の撮像用画素と、瞳分割位相差方式に従って前記光学系の焦点調節状態を検出するための焦点検出用信号を出力する複数の焦点検出用画素と、を含み、
前記読み出し制御手段は、所定の動作モード時に、２つ以上の読み出しモードをフレーム毎に順次循環的に繰り返して行い、
前記２つ以上の読み出しモードは、ライブビュー表示のための撮像用信号を読み出すライブビュー用読み出しモードと、前記焦点検出用信号、及び、自動露光用測光情報に用いるための撮像用信号を読み出す焦点検出・自動露光用読み出しモードとを、含み、
前記複数の画素の各列に対応して設けられ対応する列の前記画素の出力信号が供給される垂直信号線を備え、
前記ライブビュー用読み出しモードにおいて、列方向に間引いた画素の信号読み出しが行われ、
前記焦点検出・自動露光用読み出しモードにおいて、信号を有効に読み出すべき画素に関して、当該各画素の露光時間が同一の長さでかつ同一のタイミングとなる電子シャッタ動作が行われ、
前記焦点検出・自動露光用読み出し用読み出しモードにおいて、列方向に間引いた画素の信号読み出しが行われ、
前記焦点検出・自動露光用読み出しモードにおいて、列方向においてＭ行（Ｍは偶数）おきの各連続する２行の撮像用画素の信号が、自動露光用測光情報に用いるための撮像用画素の信号として読み出され、
前記複数の画素の各々は、当該画素の前記光電変換部からの前記信号電荷を受け取って当該信号電荷を電圧に変換する電荷電圧変換部、該電荷電圧変換部の電位に応じた信号を出力する増幅部、前記光電変換部から前記電荷電圧変換部に電荷を転送する電荷転送部、前記電荷電圧変換部の電位をリセットするリセット部、及び、当該画素を選択する選択部を有し、
前記複数の画素は、前記光電変換部が列方向に順次並んだＬ個（Ｌは２以上の偶数）の画素毎に画素ブロックをなし、
前記画素ブロック毎に、当該画素ブロックに属する前記Ｌ個の画素が１組の前記電荷電圧変換部、前記増幅部、前記リセット部及び前記選択部を共有し、
前記Ｍが｛Ｌ×（２＋Ｎ）−２｝（Ｎは０以上の整数）であることを特徴とする固体撮像装置。
【請求項２】
２次元状に配置された複数の画素であって、各々が、光学系により結像される被写体像による入射光に応じた信号電荷を生成し蓄積する光電変換部を有する複数の画素と、
前記複数の画素から信号を読み出す制御を行う読み出し制御手段と、
を備え、
前記複数の画素は、前記被写体像を示す画像信号を形成するための撮像用信号を出力する複数の撮像用画素と、瞳分割位相差方式に従って前記光学系の焦点調節状態を検出するための焦点検出用信号を出力する複数の焦点検出用画素と、を含み、
前記読み出し制御手段は、所定の動作モード時に、２つ以上の読み出しモードをフレーム毎に順次循環的に繰り返して行い、
前記２つ以上の読み出しモードは、ライブビュー表示のための撮像用信号を読み出すライブビュー用読み出しモードと、前記焦点検出用信号、及び、自動露光用測光情報に用いるための撮像用信号を読み出す焦点検出・自動露光用読み出しモードとを、含み、
前記複数の画素の各列に対応して設けられ対応する列の前記画素の出力信号が供給される垂直信号線を備え、
前記ライブビュー用読み出しモードにおいて、列方向に間引いた画素の信号読み出しが行われ、
前記焦点検出・自動露光用読み出し用読み出しモードにおいて、列方向に間引いた画素の信号読み出しが行われ、
前記焦点検出・自動露光用読み出しモードにおいて、列方向においてＭ行（Ｍは偶数）おきの各連続する２行の撮像用画素の信号が、自動露光用測光情報に用いるための撮像用画素の信号として読み出され、
前記複数の画素の各々は、当該画素の前記光電変換部からの前記信号電荷を受け取って当該信号電荷を電圧に変換する電荷電圧変換部、該電荷電圧変換部の電位に応じた信号を出力する増幅部、前記光電変換部から前記電荷電圧変換部に電荷を転送する電荷転送部、前記電荷電圧変換部の電位をリセットするリセット部、及び、当該画素を選択する選択部を有し、
前記複数の画素は、前記光電変換部が列方向に順次並んだＬ個（Ｌは２以上の偶数）の画素毎に画素ブロックをなし、
前記画素ブロック毎に、当該画素ブロックに属する前記Ｌ個の画素が１組の前記電荷電圧変換部、前記増幅部、前記リセット部及び前記選択部を共有し、
前記Ｍが｛Ｌ×（２＋Ｎ）−２｝（Ｎは０以上の整数）であることを特徴とする固体撮像装置。
【請求項３】
２次元状に配置された複数の画素であって、各々が、光学系により結像される被写体像による入射光に応じた信号電荷を生成し蓄積する光電変換部を有する複数の画素と、
前記複数の画素から信号を読み出す制御を行う読み出し制御手段と、
を備え、
前記複数の画素は、前記被写体像を示す画像信号を形成するための撮像用信号を出力する複数の撮像用画素と、瞳分割位相差方式に従って前記光学系の焦点調節状態を検出するための焦点検出用信号を出力する複数の焦点検出用画素と、を含み、
前記読み出し制御手段は、所定の動作モード時に、２つ以上の読み出しモードをフレーム毎に順次循環的に繰り返して行い、
前記２つ以上の読み出しモードは、ライブビュー表示のための撮像用信号を読み出すライブビュー用読み出しモードと、前記焦点検出用信号、及び、自動露光用測光情報に用いるための撮像用信号を読み出す焦点検出・自動露光用読み出しモードとを、含み、
前記焦点検出・自動露光用読み出しモードにおいて、信号を有効に読み出すべき画素に関して、当該各画素の露光時間が同一の長さでかつ同一のタイミングとなる電子シャッタ動作が行われ、
前記複数の画素の各列に対応して設けられ対応する列の前記画素の出力信号が供給される垂直信号線を備え、
前記焦点検出・自動露光用読み出し用読み出しモードにおいて、列方向に間引いた画素の信号読み出しが行われ、
前記焦点検出・自動露光用読み出しモードにおいて、列方向においてＭ行（Ｍは偶数）おきの各連続する２行の撮像用画素の信号が、自動露光用測光情報に用いるための撮像用画素の信号として読み出され、
前記複数の画素の各々は、当該画素の前記光電変換部からの前記信号電荷を受け取って当該信号電荷を電圧に変換する電荷電圧変換部、該電荷電圧変換部の電位に応じた信号を出力する増幅部、前記光電変換部から前記電荷電圧変換部に電荷を転送する電荷転送部、前記電荷電圧変換部の電位をリセットするリセット部、及び、当該画素を選択する選択部を有し、
前記複数の画素は、前記光電変換部が列方向に順次並んだＬ個（Ｌは２以上の偶数）の画素毎に画素ブロックをなし、
前記画素ブロック毎に、当該画素ブロックに属する前記Ｌ個の画素が１組の前記電荷電圧変換部、前記増幅部、前記リセット部及び前記選択部を共有し、
前記Ｍが｛Ｌ×（２＋Ｎ）−２｝（Ｎは０以上の整数）であることを特徴とする固体撮像装置。
【請求項４】
２次元状に配置された複数の画素であって、各々が、光学系により結像される被写体像による入射光に応じた信号電荷を生成し蓄積する光電変換部を有する複数の画素と、
前記複数の画素から信号を読み出す制御を行う読み出し制御手段と、
を備え、
前記複数の画素は、前記被写体像を示す画像信号を形成するための撮像用信号を出力する複数の撮像用画素と、瞳分割位相差方式に従って前記光学系の焦点調節状態を検出するための焦点検出用信号を出力する複数の焦点検出用画素と、を含み、
前記読み出し制御手段は、所定の動作モード時に、２つ以上の読み出しモードをフレーム毎に順次循環的に繰り返して行い、
前記２つ以上の読み出しモードは、ライブビュー表示のための撮像用信号を読み出すライブビュー用読み出しモードと、前記焦点検出用信号、及び、自動露光用測光情報に用いるための撮像用信号を読み出す焦点検出・自動露光用読み出しモードとを、含み、
前記複数の画素の各列に対応して設けられ対応する列の前記画素の出力信号が供給される垂直信号線を備え、
前記焦点検出・自動露光用読み出し用読み出しモードにおいて、列方向に間引いた画素の信号読み出しが行われ、
前記焦点検出・自動露光用読み出しモードにおいて、列方向においてＭ行（Ｍは偶数）おきの各連続する２行の撮像用画素の信号が、自動露光用測光情報に用いるための撮像用画素の信号として読み出され、
前記複数の画素の各々は、当該画素の前記光電変換部からの前記信号電荷を受け取って当該信号電荷を電圧に変換する電荷電圧変換部、該電荷電圧変換部の電位に応じた信号を出力する増幅部、前記光電変換部から前記電荷電圧変換部に電荷を転送する電荷転送部、前記電荷電圧変換部の電位をリセットするリセット部、及び、当該画素を選択する選択部を有し、
前記複数の画素は、前記光電変換部が列方向に順次並んだＬ個（Ｌは２以上の偶数）の画素毎に画素ブロックをなし、
前記画素ブロック毎に、当該画素ブロックに属する前記Ｌ個の画素が１組の前記電荷電圧変換部、前記増幅部、前記リセット部及び前記選択部を共有し、
前記Ｍが｛Ｌ×（２＋Ｎ）−２｝（Ｎは０以上の整数）であることを特徴とする固体撮像装置。
【請求項５】
前記複数の撮像用画素には、ベイヤー配列に従って配列されたカラーフィルタが設けられたことを特徴とする請求項１乃至４のいずれかに記載の固体撮像装置。
【請求項６】
請求項１乃至５のいずれかに記載の固体撮像装置を備え、
前記所定の動作モードにおいて読みされた信号に基づいて、瞳分割位相差方式に従って前記光学系の自動焦点調節を行うとともに自動露光制御を行うことを特徴とする電子カメラ。
【請求項７】
請求項１乃至５のいずれかに記載の固体撮像装置と、ライブビュー表示を行い得る表示部と、を備え、
前記所定の動作モードにおいて、前記ライブビュー用読み出しモードにおいて読み出された信号に基づいて前記表示部にライブビュー表示を表示させつつ、前記焦点検出・自動露光用読み出しモードにおいて読みされた信号に基づいて瞳分割位相差方式に従って前記光学系の自動焦点調節を行うとともに、前記焦点検出・自動露光用読み出しモードにおいて読みされた信号に基づいて自動露光制御を行うことを特徴とする電子カメラ。
【発明の詳細な説明】
【技術分野】
【０００１】
本発明は、固体撮像装置及びこれを用いた電子カメラに関するものである。
【背景技術】
【０００２】
近年、ＡＦ（オートフォーカス）機能（自動焦点調節機能）を有するビデオカメラや電子スチルカメラなどの電子カメラが広く一般に普及している。これらのカメラには、ＣＣＤ型やＣＭＯＳ型などの固体撮像素子が使用されている。これらの固体撮像素子は、入射光の光量に応じて信号電荷を生成する光電変換部を有する画素が二次元マトリクス状に複数配置されている。
【０００３】
従来は、このような電子カメラにおいて、撮像に用いる固体撮像素子とは別個に特別な焦点検出素子を設けない場合、焦点検出方式として、固体撮像素子からの画像信号を用いてＡＦを実現することができるコントラスト方式が採用されている。コントラスト方式は、レンズを少しずつ移動させて画像信号からコントラストを求め、そのコントラストが最大となるようにレンズを移動させて合焦させる方式であり、その際、コントラストが最大となるようにするための制御方法としては山登り方式等が用いられる。したがって、コントラスト方式では、原理的に、高速に合焦させることはできない。
【０００４】
特許文献１には、このようなコントラスト方式を採用した電子カメラにおいて、カメラの背面等に配置された液晶パネル等の表示部にライブビュー表示を表示させるカメラが開示されている。ライブビュー表示は、固体撮像素子から得られた画像信号による画像表示であり、使用者にとっては、本撮影前に被写体のフレーミング等の撮影状況を確認するのに非常に便利である。
【０００５】
そして、特許文献１には、被写体の輝度が低輝度の場合、ライブビュー読み出しモードと、加算読み出しモードとをフレーム毎に交互に切り換えて、ＣＣＤカラーエリアセンサからの画像信号の読み出し動作を行い、表示部は、ライブビュー読み出しモード期間で読み出されたライブビュー画像信号に基づき画像表示を行い、ＡＦ制御部は、加算読み出しモード期間で読み出された加算輝度画像信号に基づきコントラスト方式によるＡＦ制御を行うことが、開示されている。前記ライブビュー読み出しモードは、ＣＣＤカラーエリアセンサの、垂直方向に配列された複数個の光電変換素子から所定数の光電変換素子毎に間引いて電荷を読み出して、ライブビュー画像信号を生成する読み出しモードである。前記加算読み出しモードは、ＣＣＤカラーエリアセンサの、垂直方向に配列された連続する複数個の光電変換素子、または水平方向に配列された連続する複数個の光電変換素子で生成された電荷を加算して読み出して、加算輝度画像信号を生成する読み出しモードである。
【０００６】
したがって、特許文献１に開示された電子カメラでは、被写体の輝度が低下した場合においては、通常の読み出し動作に比較して同じ光量でも大きな出力が得られる加算輝度画像信号に基づいてコントラスト方式によるＡＦ制御を行うことにより、安定したコントラスト方式によるＡＦ制御を行うことができるようになる。また、被写体の輝度が低下した場合においても、表示部はライブビュー画像信号に基づいて画像を表示することにより被写体の色情報を得ることができるようになる。
【０００７】
特許文献１に開示された電子カメラでは、ライブビュー読み出しモードと加算読み出しモードとのフレーム毎の交互切り換えは、被写体の輝度が低輝度の場合にのみ行われ、被写体の輝度が比較的高い通常の場合は行われない（特許文献１の図８等）。
【０００８】
また、特許文献１には、単に、ＣＣＤから読み出された画像信号に基づき自動露光制御（ＡＥ制御）を行う旨が記載されているだけであり、固体撮像素子からいかにして読み出した画像信号に基づき自動露光制御を行うかは開示されていない。
【０００９】
ところで、近年、焦点検出方式としていわゆる瞳分割位相差方式を採用し焦点検出素子としても兼用できるように構成された固体撮像素子が提案されている（例えば、下記特許文献２）。瞳分割位相差方式は、コントラスト方式と異なりレンズを試行錯誤的に動かす必要がないので、原理的に、高速に合焦させることができる。
【００１０】
特許文献２に開示された固体撮像素子では、被写体像を示す画像信号を形成するための撮像用信号を出力する撮像用画素とは別に、瞳分割位相差方式に従って焦点調節状態を検出するための焦点検出用信号を生成する焦点検出用画素（「ＡＦ用画素」とも称す。）が複数配置されている。この固体撮像素子では、ＡＦ用画素は、２分割された光電変換部を有している。このような光電変換部上に、マイクロレンズが画素に対して１対１に設けられている。２分割された光電変換部は、マイクロレンズによって撮像レンズの射出瞳と略結像関係（すなわち、略共役）となる位置に配置されている。したがって、撮像レンズの射出瞳とマイクロレンズとの間の距離はマイクロレンズの大きさに対して十分に長いことから、２分割された光電変換部は、マイクロレンズの略焦点位置に配置されていることになる。以上述べた関係から、各画素において、２分割された光電変換部の一方部分は、撮像レンズの射出瞳の一部の領域であって射出瞳の中心から所定方向へ偏心した領域からの光束を選択的に受光して光電変換することになる。また、各ＡＦ用画素において、２分割された光電変換部の他方部分は、撮像レンズの射出瞳の一部であって射出瞳の中心から反対方向へ偏心した領域からの光束を選択的に受光して光電変換することになる。
【特許文献１】特開２００６−２６１９２９号公報
【特許文献２】特開２００３−２４４７１２号公報
【発明の開示】
【発明が解決しようとする課題】
【００１１】
電子カメラにおいては、種々の動作モードにおいて、ＡＦ制御及びＡＥ制御の両方を高速化することが好ましく、前記特許文献２に開示されたような、撮像用画素とは別に瞳分割位相差方式に従った焦点検出用画素を有する固体撮像素子を用いた電子カメラにおいても、ＡＦ制御及びＡＥ制御の両方を高速化することが好ましい。
【００１２】
しかしながら、前記特許文献２に開示されたような固体撮像素子を用いた電子カメラにおいて、前記焦点検出用画素からの焦点検出用信号と、前記撮像用画素からの自動露光用測光情報に用いるための撮像用信号とを、互いに異なるフレームで読み出すとすれば、その分信号読み出しに時間を要してしまい、その分ＡＦ制御及びＡＥ制御の速度が低下せざるを得ない。
【００１３】
ところで、前記特許文献１に開示された電子カメラでは、被写体の輝度が低輝度の場合、ライブビュー表示が表示されつつＡＦ制御が行われるので、使用者はライブビュー表示で合焦状態を確認することができ、非常に好ましい。
【００１４】
しかしながら、前記特許文献１に開示された電子カメラでは、合焦速度の遅いコントラスト方式によりＡＦ制御を行うので、比較的近距離において比較的高速で動く被写体に対しては、焦点調節が全く追従できなくなってしまい、合焦した状態でライブビュー表示させることは不可能であった。
【００１５】
このように、従来は、比較的近距離において比較的高速で動く被写体をそれに追従した合焦状態でライブビュー表示させることができる電子カメラは、全く存在していなかった。しかるに、電子カメラにおいて、比較的近距離において比較的高速で動く被写体をそれに追従した合焦状態でライブビュー表示させることができれば、使用者にとってその利便性は計り知れない。そして、この合焦状態でライブビュー表示させるときに、同時にＡＥ制御を行うことが好ましく、そのような動作モードにおいて、ＡＦ制御及びＡＥ制御の両方を高速化することが好ましいことは、言うまでもない。
【００１６】
本発明は、このような事情に鑑みてなされたもので、瞳分割位相差方式を採用し焦点検出素子としても兼用できるように構成された固体撮像素子を用いながらも、所定の動作モードにおいて、ＡＦ制御及びＡＥ制御の両方を高速化することができる電子カメラ、及び、これに用いられる固体撮像装置を提供することを目的とする。
【００１７】
また、本発明は、比較的近距離において比較的高速で動く被写体をそれに追従した合焦状態でかつ適正露光状態でライブビュー表示させることができ、しかも、その動作モードにおいてＡＦ制御及びＡＥ制御の両方を高速化することができる電子カメラ、及び、これに用いられる固体撮像装置を提供することを目的とする。
【００１８】
なお、特許文献２は、単に、撮像用画素とは別に瞳分割位相差方式に従ったＡＦ用画素を有する固体撮像素子を開示するに留まり、そのような固体撮像素子から、ライブビュー表示や自動露光用測光情報等と関連して信号を読み出す手法等について、何ら開示も示唆もしていない。また、特許文献１に開示された電子カメラにおいて行われる、ライブビュー読み出しモードと加算読み出しモードとのフレーム毎の交互切り換えは、被写体の輝度が低輝度の場合にその輝度低下を補うための特殊な動作であることは、明らかである。
【課題を解決するための手段】
【００１９】
前記課題を解決するため、本発明の第１の態様による固体撮像装置は、２次元状に配置された複数の画素であって、各々が、光学系により結像される被写体像による入射光に応じた信号電荷を生成し蓄積する光電変換部を有する複数の画素と、前記複数の画素から信号を読み出す制御を行う読み出し制御手段と、を備え、前記複数の画素は、前記被写体像を示す画像信号を形成するための撮像用信号を出力する複数の撮像用画素と、瞳分割位相差方式に従って前記光学系の焦点調節状態を検出するための焦点検出用信号を出力する複数の焦点検出用画素と、を含み、前記読み出し制御手段は、所定の動作モード時に、前記焦点検出用信号、及び、自動露光用測光情報に用いるための撮像用信号を、同じフレームにおいて読み出すように制御するものである。
【００２０】
本発明の第２の態様による固体撮像装置は、前記第１の態様において、前記読み出し制御手段は、前記焦点検出用信号及び自動露光用測光情報に用いるための撮像用信号を読み出す前記フレームにおいて、前記複数の画素のうちの一部の画素からは信号を読み出さないように制御するものである。
【００２１】
本発明の第３の態様による固体撮像装置は、２次元状に配置された複数の画素であって、各々が、光学系により結像される被写体像による入射光に応じた信号電荷を生成し蓄積する光電変換部を有する複数の画素と、前記複数の画素から信号を読み出す制御を行う読み出し制御手段と、を備え、前記複数の画素は、前記被写体像を示す画像信号を形成するための撮像用信号を出力する複数の撮像用画素と、瞳分割位相差方式に従って前記光学系の焦点調節状態を検出するための焦点検出用信号を出力する複数の焦点検出用画素と、を含み、前記読み出し制御手段は、所定の動作モード時に、２つ以上の読み出しモードをフレーム毎に順次循環的に繰り返して行い、前記２つ以上の読み出しモードは、ライブビュー表示のための撮像用信号を読み出すライブビュー用読み出しモードと、前記焦点検出用信号、及び、自動露光用測光情報に用いるための撮像用信号を読み出す焦点検出・自動露光用読み出しモードとを、含むものである。
【００２２】
本発明の第４の態様による固体撮像装置は、前記第３の態様において、前記複数の画素の各列に対応して設けられ対応する列の前記画素の出力信号が供給される垂直信号線を備え、前記ライブビュー用読み出しモードにおいて、列方向に間引いた画素の信号読み出しが行われるものである。
【００２３】
本発明の第５の態様による固体撮像装置は、前記第３又は第４の態様において、前記焦点検出・自動露光用読み出しモードにおいて、信号を有効に読み出すべき画素に関して、当該各画素の露光時間が同一の長さでかつ同一のタイミングとなる電子シャッタ動作が行われるものである。
【００２４】
本発明の第６の態様による固体撮像装置は、前記第３乃至第５のいずれかの態様において、前記複数の画素の各列に対応して設けられ対応する列の前記画素の出力信号が供給される垂直信号線を備え、前記焦点検出・自動露光用読み出し用読み出しモードにおいて、列方向に間引いた画素の信号読み出しが行われるものである。
【００２５】
本発明の第７の態様による固体撮像装置は、前記第６の態様において、前記焦点検出・自動露光用読み出しモードにおいて、列方向においてＭ行（Ｍは偶数）おきの各連続する２行の撮像用画素の信号が、自動露光用測光情報に用いるための撮像用画素の信号として読み出されるものである。
【００２６】
本発明の第８の態様による固体撮像装置は、前記第７の態様において、前記複数の画素の各々は、当該画素の前記光電変換部からの前記信号電荷を受け取って当該信号電荷を電圧に変換する電荷電圧変換部、該電荷電圧変換部の電位に応じた信号を出力する増幅部、前記光電変換部から前記電荷電圧変換部に電荷を転送する電荷転送部、前記電荷電圧変換部の電位をリセットするリセット部、及び、当該画素を選択する選択部を有し、前記複数の画素は、前記光電変換部が列方向に順次並んだＬ個（Ｌは２以上の偶数）の画素毎に画素ブロックをなし、前記画素ブロック毎に、当該画素ブロックに属する前記Ｌ個の画素が１組の前記電荷電圧変換部、前記増幅部、前記リセット部及び前記選択部を共有し、前記Ｍが｛Ｌ×（２＋Ｎ）−２｝（Ｎは０以上の整数）であるものである。
【００２７】
本発明の第９の態様による固体撮像装置は、２次元状に配置された複数の画素であって、各々が、光学系により結像される被写体像による入射光に応じた信号電荷を生成し蓄積する光電変換部を有する複数の画素と、前記複数の画素から信号を読み出す制御を行う読み出し制御手段と、を備え、前記複数の画素は、前記被写体像を示す画像信号を形成するための撮像用信号を出力する複数の撮像用画素と、瞳分割位相差方式に従って前記光学系の焦点調節状態を検出するための焦点検出用信号を出力する複数の焦点検出用画素と、を含み、前記読み出し制御手段は、所定の動作モード時に、１つ以上の読み出しモードをフレーム毎に順次繰り返して行い、前記１つ以上の読み出しモードは、ライブビュー表示のための撮像用信号、前記焦点検出用信号、及び、自動露光用測光情報に用いるための撮像用信号を読み出す一括読み出しモードを、含むものである。
【００２８】
本発明の第１０の態様による固体撮像装置は、前記第９の態様において、前記一括読み出しモードにおいて、前記複数の画素のうちの一部の画素からは信号が読み出されないものである。
【００２９】
本発明の第１１の態様による固体撮像装置は、前記第１乃至第７、第９及び第１０のいずれかの態様において、前記複数の画素の各々は、当該画素の前記光電変換部からの前記信号電荷を受け取って当該信号電荷を電圧に変換する電荷電圧変換部、該電荷電圧変換部の電位に応じた信号を出力する増幅部、前記光電変換部から前記電荷電圧変換部に電荷を転送する電荷転送部、前記電荷電圧変換部の電位をリセットするリセット部、及び、当該画素を選択する選択部を有するものである。
【００３０】
本発明の第１２の態様による固体撮像装置は、前記第１１の態様において、前記複数の画素は、前記光電変換部が列方向に順次並んだＬ個（Ｌは２以上の整数）の画素毎に画素ブロックをなし、前記画素ブロック毎に、当該画素ブロックに属する前記Ｌ個の画素が１組の前記電荷電圧変換部、前記増幅部、前記リセット部及び前記選択部を共有したものである。
【００３１】
本発明の第１３の態様による固体撮像装置は、前記第１乃至第１２のいずれかの態様において、前記複数の撮像用画素には、ベイヤー配列に従って配列されたカラーフィルタが設けられたものである。
【００３２】
本発明の第１４の態様による電子カメラは、前記第１乃至第１３のいずれかの態様による固体撮像装置を備え、前記所定の動作モードにおいて読みされた信号に基づいて、瞳分割位相差方式に従って前記光学系の自動焦点調節を行うとともに自動露光制御を行うものである。
【００３３】
本発明の第１５の態様による電子カメラは、前記第３乃至第１３のいずれかの態様による固体撮像装置と、ライブビュー表示を行い得る表示部と、を備え、前記所定の動作モードにおいて、前記ライブビュー用読み出しモード又は前記一括読み出しモードにおいて読み出された信号に基づいて前記表示部にライブビュー表示を表示させつつ、前記焦点検出・自動露光用読み出しモード又は前記一括読み出しモードにおいて読みされた信号に基づいて瞳分割位相差方式に従って前記光学系の自動焦点調節を行うとともに、前記焦点検出・自動露光用読み出しモード又は前記一括読み出しモードにおいて読みされた信号に基づいて自動露光制御を行うものである。
【発明の効果】
【００３４】
本発明によれば、、瞳分割位相差方式を採用し焦点検出素子としても兼用できるように構成された固体撮像素子を用いながらも、所定の動作モードにおいて、ＡＦ制御及びＡＥ制御の両方を高速化することができる電子カメラ、及び、これに用いられる固体撮像装置を提供することができる。
【００３５】
また、本発明によれば、比較的近距離において比較的高速で動く被写体をそれに追従した合焦状態でかつ適正露光状態でライブビュー表示させることができ、しかも、その動作モードにおいてＡＦ制御及びＡＥ制御の両方を高速化することができる電子カメラ、及び、これに用いられる固体撮像装置を提供することができる。
【発明を実施するための最良の形態】
【００３６】
以下、本発明による固体撮像装置及びこれを用いた電子カメラについて、図面を参照して説明する。
【００３７】
［第１の実施の形態］
【００３８】
図１は、本発明の第１の実施の形態に係る電子カメラ１を示す概略ブロック図である。電子カメラ１には、撮影レンズ２が装着される。この撮影レンズ２は、レンズ制御部２ａによってフォーカスや絞りが駆動される。この撮影レンズ２の像空間には、固体撮像素子３の撮像面が配置される。
【００３９】
固体撮像素子３は、撮像制御部４の指令によって駆動され、信号を出力する。固体撮像素子３から出力される信号は、被写体像を示す画像信号を形成するための撮像用信号、撮影レンズ２の焦点調節状態を検出するための焦点検出用信号のいずれかである。撮像用信号の一部は、自動露光用測光情報に用いられる場合もある。いずれにおいても信号は、信号処理部５、及びＡ／Ｄ変換部６を介して処理された後、メモリ７に一旦蓄積される。メモリ７は、バス８に接続される。バス８には、レンズ制御部２ａ、撮像制御部４、マイクロプロセッサ９、焦点演算部１０、露光演算部１４、記録部１１、画像圧縮部１２、画像処理部１３、表示制御部１５なども接続される。表示制御部１５は、ライブビュー表示などのモニタ画像等を液晶表示部（ＬＣＤ）１６に表示させる。上記マイクロプロセッサ９には、レリーズ釦などの操作部９ａが接続される。また、上記の記録部１１には記録媒体１１ａが着脱自在に装着される。固体撮像素子３、撮像制御部４及び信号処理部５等によって、本発明の一実施の形態による固体撮像装置が構成されている。
【００４０】
図２は、図１中の固体撮像素子３の概略構成を示す回路図である。固体撮像素子３は、２次元マトリクス状に配置された複数の画素２０と、画素２０から信号を出力するための周辺回路とを有している。図２において、画素数は、横に４列縦に８行の３２個の画素を示している。しかし、本実施の形態では、画素数はそれよりもはるかに多くなっている。もっとも、本発明では、画素数は特に限定されるものではない。
【００４１】
本実施の形態では、固体撮像素子３は、画素として、被写体像を示す画像信号を形成するための撮像用信号を出力する撮像用画素２０ｅと、瞳分割位相差方式に従って撮影レンズ２の焦点調節状態を検出するための焦点検出用信号を出力する焦点検出用画素（以下、「ＡＦ用画素」と称する。）２０ａ，２０ｂとを有しているが、図２ではそれらのいずれであるかを区別することなく、符号２０で示している。その具体的な回路構成や構造は、後述する。これらの画素２０は、周辺回路の駆動信号に従って、撮像用信号又は焦点検出用信号を出力する。また、すべての画素２０は、同時に光電変換部がリセットされて露光時間が同一の長さでかつ同一のタイミングとなる電子シャッタ動作が行われることも、１行ずつ読み出す所謂ローリングシャッタによる電子シャッタ動作も可能となっている。
【００４２】
周辺回路は、垂直走査回路２１、水平走査回路２２、これらと接続されている駆動信号線２３〜２６、画素２０からの信号を受け取る垂直信号線２８、垂直信号線２８に接続される定電流源２９及びカラムアンプ３０、トランジスタからなるスイッチ３１、カラムアンプ３０から出力される信号をスイッチ３１を介して受け取る水平信号線３３、出力アンプ３４等からなる。
【００４３】
なお、本実施の形態では、相関二重サンプリング回路（ＣＤＳ回路）は、図１中の信号処理部５に設けられ、信号が出力アンプ３４を介して固体撮像素子３の外部に出力された後に信号処理部５で相関二重サンプリング処理が行われるようになっている。もっとも、ＣＤＳ回路を固体撮像素子３に搭載してもよいことは、言うまでもない。ＣＤＳ回路を固体撮像素子３に搭載する場合、当該ＣＤＳ回路をカラムアンプ３０を用いた構成とすることも可能である。
【００４４】
各画素２０は、いずれの画素２０ａ，２０ｂ，２０ｅであっても、同一の回路構成を有している。図３は、図１中の固体撮像素子３の画素２０を示す回路図である。
【００４５】
各画素２０は、一般的なＣＭＯＳ型固体撮像素子と同様に、入射光に応じた信号電荷を生成し蓄積する光電変換部としてのフォトダイオードＰＤと、前記信号電荷を受け取って前記信号電荷を電圧に変換する電荷電圧変換部としてのフローティングディフュージョンＦＤと、フローティングディフュージョンＦＤの電位に応じた信号を出力する増幅部としての増幅トランジスタＡＭＰと、フォトダイオードＰＤからフローティングディフュージョンＦＤに電荷を転送する電荷転送部としての転送トランジスタＴＸと、フローティングディフュージョンＦＤの電位をリセットするリセット部としてのリセットトランジスタＲＥＳと、当該画素２０を選択するための選択部としての選択トランジスタＳＥＬとを有し、図３に示すように接続されている。なお、本実施の形態では、画素２０のトランジスタＡＭＰ，ＴＸ，ＲＥＳ，ＳＥＬは、全てｎＭＯＳトランジスタである。図３において、Ｖｄｄは電源電圧である。
【００４６】
転送トランジスタＴＸのゲートは、行毎に、垂直走査回路２１からの転送トランジスタＴＸを制御する制御信号φＴＸを転送トランジスタＴＸに供給する制御線２４に、接続されている。リセットトランジスタＲＥＳのゲートは、行毎に、垂直走査回路２１からのリセットトランジスタＲＥＳを制御する制御信号φＲＳＴをリセットトランジスタＲＥＳに供給する制御線２３に、接続されている。選択トランジスタＳＥＬのゲートは、行毎に、垂直走査回路２１からの選択トランジスタＳＥＬを制御する制御信号φＳＥＬを選択トランジスタＳＥＬに供給する制御線２５に、接続されている。
【００４７】
フォトダイオードＰＤは、入射光の光量（被写体光）に応じて信号電荷を生成する。転送トランジスタＴＸは、転送パルス（制御信号）φＴＸのハイレベル期間にオンし、フォトダイオードＰＤに蓄積された信号電荷をフローティングディフュージョンＦＤに転送する。リセットトランジスタＲＥＳは、リセットパルス（制御信号）φＲＳＴのハイレベル期間にオンし、フローティングディフュージョンＦＤをリセットする。
【００４８】
増幅トランジスタＡＭＰは、そのドレインが電源電圧Ｖｄｄに接続され、そのゲートがフローティングディフュージョンＦＤに接続され、そのソースが選択トランジスタＳＥＬのドレインに接続され、定電流源２９を負荷とするフォースフォロア回路を構成している。増幅トランジスタＡＭＰは、フローティングディフュージョンＦＤの電圧値に応じて、選択トランジスタＳＥＬを介して垂直信号線２８に読み出し電流を出力する。選択トランジスタＳＥＬは、選択パルス（制御信号）φＳＥＬのハイレベル期間にオンし、増幅トランジスタＡＭＰのソースを垂直信号線２８に接続する。
【００４９】
垂直走査回路２１は、撮像制御部４からの駆動パルス（図示せず）を受けて、画素２０の行毎に、選択パルスφＳＥＬ、リセットパルスφＲＳＴ及び転送パルスφＴＸをそれぞれ出力する。また、水平走査回路２２は、撮像制御部４からの駆動パルス（図示せず）を受けて、制御信号φＨ１〜φＨ４を出力する。
【００５０】
図４は、図１中の固体撮像素子３の有効画素領域を模式的に示す概略平面図である。図４では、理解を容易にするため、有効画素領域には２４×１６個の画素２０が存するものとしている。図４において、焦点検出領域は太線で囲んでいる。本実施の形態では、図４に示すように、固体撮像素子３の有効画素領域には、上下及び中央に配置されてそれぞれ左右に延びる３つの焦点検出領域が、設けられている。なお、図４に示すように、互いに直交するＸ軸、Ｙ軸及びＺ軸を定義する。ＸＹ平面と平行な平面が固体撮像素子３の撮像面（受光面）と一致している。Ｘ軸方向の並びを行、Ｙ軸方向の並びを列とする。なお、入射光は図３の紙面手前側から奥側に入射する。これらの点は、後述する図についても同様である。
【００５１】
本実施の形態では、いずれの画素２０にもベイヤー配列に従ってカラーフィルタが設けられている。図４では、当該画素に設けられたカラーフィルタの色を、符号Ｒ，Ｇ，Ｂとして示している。Ｒは赤色、Ｇは緑色、Ｂは青色である。また、当該画素に設けられたカラーフィルタの色を区別しないで分類すると、固体撮像素子３は、１種類の撮像用画素２０ｅと、２種類のＡＦ用画素２０ａ，２０ｂとを有している。図４では、ＡＦ用画素２０ａ，２０ｂにはそれぞれ符号ａ，ｂを付している。また、撮像用画素２０ｅには、いずれの符号ａ，ｂも付していない。したがって、例えば、図４において、「Ｒ」は赤色カラーフィルタが設けられた撮像用画素２０ｅを意味し、「Ｇａ」は緑色カラーフィルタが設けられたＡＦ用画素２０ａを意味する。
【００５２】
図５（ａ）は撮像用画素２０ｅの主要部を模式的に示す概略平面図、図５（ｂ）は図５（ａ）中のＸ１−Ｘ２線に沿った概略断面図である。撮像用画素２０ｅは、光電変換部としてのフォトダイオードＰＤと、フォトダイオードＰＤ上にオンチップで形成されたマイクロレンズ４２と、フォトダイオードＰＤの光入射側に設けられたＲ（赤色），Ｇ（緑色），Ｂ（青色）のいずれかのカラーフィルタ５０とを備えている。また、図５に示すように、マイクロレンズ４２の略焦点面には、遮光部としての金属層等の遮光層４３が形成されている。遮光層４３は、必要に応じて配線層を兼ねる。遮光層４３には、撮像用画素２０ｅにおいて、当該撮像用画素２０ｅのマイクロレンズ４２の光軸Ｏに対して同心の正方形の開口４３ａが形成されている。画素２０ｅのフォトダイオードＰＤは、開口４３ａを通過した光を全て有効に受光し得る大きさを有している。なお、遮光層４３とマイクロレンズ４２との間や、基板４４と遮光層４３との間には、層間絶縁膜等が形成されている。
【００５３】
本実施の形態では、画素２０ｅにおいて、マイクロレンズ４２の略焦点面に配置された遮光層４３に前記開口４３ａが形成されていることによって、画素２０ｅのフォトダイオードＰＤは、撮影レンズ２の射出瞳の中心から実質的に偏心していない前記射出瞳の領域（開口４３ａのマイクロレンズ４２による投影像に相当）からの光束を受光して光電変換することになる。
【００５４】
図６（ａ）はＡＦ用画素２０ａの主要部を模式的に示す概略平面図、図６（ｂ）は図６（ａ）中のＸ３−Ｘ４線に沿った概略断面図である。図６において、図５中の要素と同一又は対応する要素には同一符号を付し、その重複する説明は省略する。この点は、後述する図７についても同様である。
【００５５】
ＡＦ用画素２０ａが撮像用画素２０ｅと異なる所は、ＡＦ用画素２０ａにおいて、遮光層４３には、当該ＡＦ用画素２０ａのマイクロレンズ４２の光軸Ｏに対して同心の正方形（開口４３ａと同じ大きさの正方形）のちょうど右側（＋Ｘ側）半分の大きさの長方形の開口４３ｂが形成されている点のみである。なお、画素２０ａのフォトダイオードＰＤは、画素２０ｅのフォトダイオードＰＤと同じ大きさを有している。このように本実施の形態では開口４３ｂは開口４３ａの半分であるが、これに限定されず、例えば、開口４３ｂは、当該ＡＦ用画素２０ａのマイクロレンズ４２の光軸Ｏに対して同心の正方形（開口４３ａと同じ大きさの正方形）の右側（＋Ｘ側）４０％程度又は６０％程度の大きさの長方形の開口としてもよい。なお、ＡＦ用画素２０ａの開口４３ｂはＡＦ用画素２０ｂの後述する開口４３ｃと同じ大きさを有することが好ましい。
【００５６】
画素２０ａにおいて、遮光層４３に前記開口４３ｂが形成されていることによって、画素２０ａのフォトダイオードＰＤは、撮影レンズ２の射出瞳の中心から−Ｘ方向へ実質的に偏心した前記射出瞳の領域からの光束を選択的に受光して光電変換することになる。
【００５７】
図７（ａ）はＡＦ用画素２０ｂの主要部を模式的に示す概略平面図、図７（ｂ）は図７（ａ）中のＸ５−Ｘ６線に沿った概略断面図である。ＡＦ用画素２０ｂが撮像用画素２０ｅと異なる所は、ＡＦ用画素２０ｂにおいて、遮光層４３には、当該ＡＦ用画素２０ｂのマイクロレンズ４２の光軸Ｏに対して同心の正方形（開口４３ａと同じ大きさの正方形）のちょうど左側（−Ｘ側）半分の大きさの長方形の開口４３ｃが形成されている点のみである。これによって、画素２０ｂのフォトダイオードＰＤは、撮影レンズ２の射出瞳の中心から＋Ｘ方向へ実質的に偏心した前記射出瞳の領域からの光束を選択的に受光して光電変換することになる。
【００５８】
なお、カラーフィルタ５０の配列は必ずしもベイヤー配列に限定されるものではない。また、カラー撮像用として構成する場合であっても、ＡＦ用画素２０ａ，２０ｂには必ずしもカラーフィルタ５０を設ける必要はない。
【００５９】
図８は、本実施の形態による電子カメラ１の所定動作モード時の、固体撮像素子３からの信号読み出し状況を模式的に示すタイミングチャートである。本実施の形態による電子カメラ１は、図８に示すように、ライブビュー表示のための撮像用信号を固体撮像素子３から読み出すライブビュー用読み出しモードと、焦点検出用信号及び自動露光用測光情報に用いるための撮像用信号を固体撮像素子３から読み出す焦点検出・自動露光用読み出しモード（「ＡＦ＋ＡＥ読み出しモード」とも称す。）とを、フレーム毎に順次循環的に繰り返して行う。例えば、ライブビュー用読み出しフレームは約１／４０秒、ＡＦ＋ＡＥ読み出しフレームは約１／１００秒とすることができる。これらの読み出しモードの具体例について、以下に説明する。
【００６０】
今、各画素２０が図４に示すように配置されているものとすると、ライブビュー用読み出しモードでは、撮像制御部４による制御下で、例えば、図４中の右側に○印を付したように、列方向に間引いて画素２０を読み出し、６行ずつ読み飛ばして１，８，１５，２２行目を読み出す。このように読み飛ばす行数は偶数行であることが好ましい。これは、ベイヤー読み出しを保持するためである。なお、ライブビュー用読み出しモードでは、列方向に間引いた画素２０の信号読み出しを行うことが、高速に信号を読み出すために好ましいが、全行の画素２０の信号を読み出してもよい。
【００６１】
図９は、図２に示すように画素２０の数が８×４個である場合に、ライブビュー用読み出しモードにおいて、１行目を読み出し、２〜７行目を読み飛ばし、８行目を読み出す例を示す、タイミングチャートである。この例では、水平画素加算を行わずに、行方向の全画素を読み出している。また、この例では、ローリングシャッタによる電子シャッタ動作が行われている。図９において、期間Ｔ１は１行目の選択期間である。期間Ｔ２の終了時点から期間Ｔ３の開始時点までが、１行目の露光時間となる。期間Ｔ１における期間Ｔ３前の期間に読み出された信号と、期間Ｔ１における期間Ｔ３後の期間に読み出された信号との差分を取るＣＤＳ処理が、固体撮像素子３の外部の信号処理部５によって行われる。８行目が選択されている期間Ｔ４では、期間Ｔ１の動作と同様の動作が８行目に関して行われる。
【００６２】
ＡＦ＋ＡＥ読み出しモードでは、各画素２０が図４に示すように配置されているものとすると、例えば、図４中の右側に○印を付したように、４〜６行目、１２〜１４行目及び２０〜２２行目を読み出し、他の行は読み飛ばす。これらの読み出し行は、行方向に延びた３つの焦点検出領域に対応するＡＦ読み出し用の４，１２，２０行目と、ＡＥ読み出し用である５，６行目、１３，１４行目及び２１，２２行目とからなる。このように、ＡＥ読み出し用として、列方向において偶数行（本例では、６行）おきの各連続する２行を読み出すと、カラーフィルタ５０がベイヤー配列に従って配列されていることから、列方向に隣り合う異なる色の画素が読み出されるので、連続して読み出す行がない場合に比べて、擬色を低減することができる。したがって、自動露光制御をより高い精度で行うことができるので、好ましい。
【００６３】
図１０は、図２に示すように画素２０の数が８×４個である場合に、ＡＦ＋ＡＥ読み出しモードにおいて、１〜３行目を読み飛ばし、４〜６行目を読み出し、７行目を読み飛ばす例を示す、タイミングチャートである。この例では、全画素２０に関して、当該各画素の露光時間が同一の長さでかつ同一のタイミングとなる電子シャッタ動作が行われる。このため、ローリングシャッタ動作の場合に比べて、同一フレームで読み出される各ＡＦ用信号間に時間差が生じないとともに、各自動露光測光情報に用いる撮像用信号間に時間差が生じないため、焦点検出の精度及び自動露光制御の精度を大幅に高めることができる。なお、焦点検出及び露光量検出のために有効に読み出すべき所望の画素２０のみの露光時間が同一の長さでかつ同一のタイミングとなるだけでもよい。
【００６４】
図１０において、全画素２０に関して、期間Ｔ１１の終了時点から期間Ｔ１２の開始時点までが露光時間となる。期間Ｔ１３は、４行目の選択期間である。期間Ｔ１３における期間Ｔ１４前の期間において読み出された信号と、期間Ｔ１３における期間Ｔ１４期間後の期間において読み出された信号との差分を取るＣＤＳ処理が、固体撮像素子３の外部の信号処理部５によって行われる。このとき、信号成分を取得する期間Ｔ１４前の期間とノイズ成分を取得するＴ１４期間後の期間との間に、リセット期間Ｔ１４が存在するため、リセット期間Ｔ１４に生ずるノイズ分が残ってしまう。しかしながら、そのようなノイズ分が残っても焦点検出の精度や露光量検出の精度にはほとんど影響を与えない。５行目が選択されている期間Ｔ１５及び６行目が選択されている期間Ｔ１６では、期間Ｔ１３の動作と同様の動作がそれぞれ５行目及び６行目に関して行われる。
【００６５】
本実施の形態による電子カメラ１では、以上説明した図８に示すように各読み出しモードがフレーム毎に繰り返される動作モードにおいて、各ライブビュー用読み出しモードのフレームで読み出された撮像用信号が信号処理部５、Ａ／Ｄ変換部６及びメモリ７を経て表示制御部１５によって利用されて、当該撮像用信号に基づくライブビュー表示が液晶表示部１６に表示される。また、図８に示す動作モードにおいて、各ＡＦ＋ＡＥ読み出しモードのフレームで読み出されたＡＦ用信号が信号処理部５、Ａ／Ｄ変換部６及びメモリ７を経て焦点演算部１０によって利用されて、当該ＡＦ用信号に基づいて瞳分割位相差方式に従ってデフォーカス量が算出され、そのデフォーカス量に応じて合焦状態となるようにレンズ制御部２ａが撮影レンズ２を作動させて自動焦点調節を行う。さらに、図８に示す動作モードにおいて、各ＡＦ＋ＡＥ読み出しモードのフレームで読み出されたＡＥ用信号が信号処理部５、Ａ／Ｄ変換部６及びメモリ７を経て露光演算部１４によって利用されて、当該ＡＥ用信号に基づいて最適な露光量を演算し、レンズ制御部２ａは露光演算部１４で得られた露光量に応じた露光量となるように撮影レンズ２の絞りを調整するとともに、撮像制御部４はこの露光量に応じたシャッタ時間を設定する。
【００６６】
このようにして、本実施の形態による電子カメラ１は、図８に示す動作モードにおいて、ライブビュー用読み出しモードにおいて読み出された信号に基づいて液晶表示部１６にライブビュー表示を表示させつつ、ＡＦ＋ＡＥ用読み出しモードにおいて読みされた信号に基づいて瞳分割位相差方式に従って撮影レンズ２の自動焦点調節を行うとともに、ＡＦ＋ＡＥ用読み出しモードにおいて読み出された信号に基づいて自動露光制御を行う。したがって、使用者は、合焦状態でかつ適性露出状態でライブビュー表示を見ることができる。そして、本実施の形態によれば、ライブビュー表示を表示させつつ行うＡＦ制御として瞳分割位相差方式によるＡＦ制御が行われるので、比較的近距離において比較的高速で動く被写体をそれに追従した合焦状態でライブビュー表示させることができるため、使用者にとってその利便性は計り知れない。
【００６７】
また、本実施の形態によれば、ＡＦ＋ＡＥ用読み出しモードにおいてＡＦ用信号とＡＥ用信号とを同じフレームで読み出すので、ＡＦ用信号とＡＥ用信号とを互いに異なるフレームで読み出す場合に比べて、信号読み出しに要する時間を短縮することができるため、ＡＦ制御及びＡＥ制御の速度を更に高めることができる。
【００６８】
前述したような図８に示す動作モードは、例えば、使用者が撮影モードに設定して操作部９ａのレリーズ釦の半押し操作を行うことで開始される。そして、例えば、そのレリーズ釦が全押し操作されると、本撮影が行われる。このとき、全押し操作の前に合焦状態でかつ適性露出状態となっているので、即時にシャッターを切ることができ、シャッタータイミングを逃さない。なお、本撮影時には、例えば、前述したライブビュー用読み出しモードにおいて間引きを行わずに全行読み出される。撮像制御部４によって、この撮像用信号は、メモリ７に蓄積される。その後、マイクロプロセッサ９は、操作部９ａの指令に基づき、必要に応じて画像処理部１３や画像圧縮部１２にて所望の処理を行い、記録部に処理後の信号を出力させ記録媒体１１ａに記録する。なお、前述したような図８に示す動作モードは、例えば、レリーズ釦の半押し操作を行わなくても、撮影モードに設定するだけで開始するようにしてもよい。
【００６９】
なお、光学ファインダを確認しながら撮影するような場合のように、ライブビュー表示を行わない場合には、例えば、操作部９ａのレリーズ釦が半押し操作されたときに前述したＡＦ＋ＡＥ用読み出しモードを行ってＡＦ制御及びＡＥ制御を行ってもよい。この場合においても、ＡＦ＋ＡＥ用読み出しモードにおいてＡＦ用信号とＡＥ用信号とを同じフレームで読み出すので、ＡＦ制御及びＡＥ制御の速度を更に高めることができるという利点は得られる。
【００７０】
［第２の実施の形態］
【００７１】
図１１は、本発明の第２の実施の形態による電子カメラで用いられる固体撮像素子６３を示す回路図であり、図２に対応している。図１１においても、図２と同様に、８×４個の画素２０（４×４個の画素ブロック７０）を示している。図１２は、図１１に示す固体撮像素子６３の有効画素領域を模式的に示す概略平面図であり、図４に対応している。図１３は、図１１に示す固体撮像素子６３の画素ブロック７０を示す回路図である。図１１乃至図１３において、図２乃至図４中の要素と同一又は対応する要素には同一符号を付し、その重複する説明は省略する。
【００７２】
本実施の形態が前記第１の実施の形態と異なる所は、以下に説明する点のみである。本実施の形態では、固体撮像素子６３において、列方向に隣り合う２つの画素２０毎に、当該２つの画素２０が１組のフローティングディフュージョンＦＤ、増幅トランジスタＡＭＰ、リセットトランジスタＲＥＳ及び選択トランジスタＳＥＬを共有している。図１１及び図１３では、１組のフローティングディフュージョンＦＤ、増幅トランジスタＡＭＰ、リセットトランジスタＲＥＳ及び選択トランジスタＳＥＬを共有する２つの画素２０を、画素ブロック７０として示している。また、図１３では、画素ブロック７０内の上側の画素２０のフォトダイオードＰＤ及び転送トランジスタＴＸをそれぞれ符号ＰＤ１，ＴＸ１で示し、画素ブロック７０内の下側の画素２０のフォトダイオードＰＤ及び転送トランジスタＴＸをそれぞれ符号ＰＤ２，ＴＸ２で示し、両者を区別している。また、転送トランジスタＴＸ１のゲート電極に供給される制御信号をφＴＸ１とし、転送トランジスタＴＸ２のゲート電極に供給される制御信号をφＴＸ２とし、両者を区別している。なお、図２及び図３ではｎは画素行を示しているが、図１１及び図１３ではｎは画素ブロック７０の行を示している。例えば、１行目の画素２０と２行目の画素２０とにより１行目の画素ブロック７０が構成され、３行目の画素２０と４行目の画素２０とにより２行目の画素ブロック７０が構成されている。
【００７３】
本実施の形態における固体撮像素子６３の有効画素領域を模式的に示す概略平面図は、図１２に示すように、図４と同様となり、例えば、各読み出し時に○印の画素行が読み出される。ただし、本実施の形態では、図４の場合と異なり、ＡＦ＋ＡＥ読み出しモードにおいて、ＡＥ用信号を読み出す行は６，７行目、１４，１５行目及び２２，２３行目とされている。これは、後述する図１５から理解できるように、同じ画素ブロック７０内の２行の読み出しを避けて、読み出すべき画素の露光時間が同一の長さでかつ同一のタイミングとなる電子シャッタ動作を可能にするためである。
【００７４】
なお、本実施の形態においても、前記第１の実施の形態と同様に、所定の動作モードにおいて、図８に示すように各読み出しモードがフレーム毎に繰り返される。
【００７５】
図１４は、図９の場合と同様に、図１１に示すように画素２０の数が８×４個（画素ブロック７０の数が４×４個）である場合に、ライブビュー用読み出しモードにおいて、１行目の画素行（１行目の画素ブロック７０の上側画素行）を読み出し、２〜７行目の画素行（１行目の画素ブロック７０の下側画素行から４行目の画素ブロック７０の上側画素行まで）を読み飛ばし、８行目の画素行（４行目の画素ブロック７０の下側画素行）を読み出す例を示す、タイミングチャートである。この例においても、ローリングシャッタによる電子シャッタ動作が行われている。
【００７６】
図１５は、図１０の場合とは異なり、図１１に示すように画素２０の数が８×４個（画素ブロック７０の数が４×４個）である場合に、ＡＦ＋ＡＥ読み出しモードにおいて、１〜３行目の画素行（１行目の画素ブロック７０の上側画素行から２行目の画素ブロック７０の上側画素行まで）を読み飛ばし、４行目の画素行（２行目の画素ブロック７０の下側画素行）を読み出し、５行目の画素行（３行目の画素ブロック７０の上側画素行）を読み飛ばし、６，７行目の画素行（３行目の画素ブロック７０の下側画素行と４行目の画素ブロック７０の上側画素行）を読み出し、８行目の画素行（４行目の画素ブロック７０の下側画素行）を読み飛ばす例を示す、タイミングチャートである。この例においても、読み出すべき画素２０に関して、当該各画素の露光時間が同一の長さでかつ同一のタイミングとなる電子シャッタ動作が行われている。
【００７７】
本実施の形態によっても、前記第１の実施の形態と同様の利点が得られる。また、本実施の形態によれば、２つの画素２０が１組のフローティングディフュージョンＦＤ、増幅トランジスタＡＭＰ、リセットトランジスタＲＥＳ及び選択トランジスタＳＥＬを共有しているので、１画素当たりのトランジスタ数を削減することができ、開口率を大きくすることができる。
【００７８】
ところで、本実施の形態のように、光電変換部（フォトダイオード）が列方向に順次並んだＬ個（Ｌは２以上の整数。本実施の形態では、Ｌ＝２。）の画素２０毎に画素ブロック７０をなし、画素ブロック７０毎に、当該画素ブロック７０に属する前記Ｌ個の画素２０が１組のフローティングディフュージョンＦＤ、増幅トランジスタＡＭＰ、リセットトランジスタＲＥＳ及び選択トランジスタＳＥＬを共有する場合、（i）ＡＦ＋ＡＥ読み出しモードにおいて、列方向においてＭ行（Ｍは偶数）おきの各連続する２行の撮像用画素の信号が、ＡＥ用信号として読み出されるという条件、及び、（ii）前記Ｍが｛Ｌ×（２＋Ｎ）−２｝（Ｎは０以上の整数）であるという条件、を満たすことが好ましい。上記（i）の条件を満たすことで、列方向に隣り合う異なる色の画素が読み出されるので、連続して読み出す行がない場合に比べて、擬色を低減することができ、ひいては、自動露光制御をより高い精度で行うことができる。そして、上記（ii）の条件を満たすことで、画素ブロック７０において１組のフローティングディフュージョンＦＤ及び増幅トランジスタＡＭＰ等を共有するものでありながら、読み出すべき画素行に関して露光時間が同一の長さでかつ同一のタイミングとなる電子シャッタ動作が可能になり、ひいては、同一フレームで読み出される各ＡＦ用信号間に時間差が生じないとともに、各自動露光測光情報に用いる撮像用信号間に時間差が生じないため、焦点検出の精度及び自動露光制御の精度を大幅に高めることができる。
【００７９】
その理解を容易にするため、Ｌ＝２、Ｎ＝０、Ｍ＝２の例を図１６に示し、Ｌ＝２、Ｎ＝２、Ｍ＝６の例を図１７に示し、Ｌ＝２、Ｎ＝４、Ｍ＝１０の例を図１８に示している。なお、図１６乃至図１８において、各行の画素の色は、ベイヤー配列を前提とした上で、ＧとＲの交互列の色で代表した。例えば、Ｌ＝２、Ｎ＝１２、Ｍ＝２６としてもよい。また、Ｌ＝４の場合、Ｍは例えば６，１０，１４，１８のいずれかにしてもよいし、Ｌ＝６の場合、Ｍは例えば１０，１６，２２，２８のいずれかにしてもよい。
【００８０】
［第３の実施の形態］
【００８１】
図１９は、本発明の第３の実施の形態による電子カメラの所定動作モード時の、固体撮像素子３からの信号読み出し状況を模式的に示すタイミングチャートである。
【００８２】
本実施の形態による電子カメラが前記第１の実施の形態による電子カメラ１と異なる所は、所定動作モード時に、図８に示す動作の代わりに図１９に示す動作が行われる点のみである。
【００８３】
本実施の形態による電子カメラは、所定動作モード時に、図１９に示すように、ライブビュー表示のための撮像用信号、焦点検出用信号及び自動露光用測光情報に用いるための撮像用信号を固体撮像素子３から読み出す一括読み出しモード（「ライブビュー＋ＡＦ＋ＡＥ読み出しモード」とも称す。）を、フレーム毎に順次繰り返して行う。
【００８４】
今、各画素２０が図４に示すように配置されているものとすると、一括読み出し読み出しモードでは、撮像制御部４による制御下で、例えば、図４中の右側に○印を付した行を全て読み出すように、１行目を読み出し、２，３行目を読み飛ばし、４〜６行目を読み出し、７行目を読み飛ばし、８行目を読み出し、９〜１１行目を読み飛ばし、１２〜１５行目を読み出し、１６〜１９行目を読み飛ばし、２０〜２２行目を読み出し、２３，２４行目を読み飛ばす。このような読み出し動作は、図９に示すタイミングチャートに準じた動作により実現することができる。
【００８５】
本実施の形態による電子カメラ１では、以上説明した図１９に示すように一括読み出しモードがフレーム毎に繰り返される動作モードにおいて、各一括読み出しモードのフレームで読み出されたライブビュー用の撮像用信号が信号処理部５、Ａ／Ｄ変換部６及びメモリ７を経て表示制御部１５によって利用されて、当該撮像用信号に基づくライブビュー表示が液晶表示部１６に表示される。また、図１９に示す動作モードにおいて、各一括読み出しモードのフレームで読み出されたＡＦ用信号が信号処理部５、Ａ／Ｄ変換部６及びメモリ７を経て焦点演算部１０によって利用されて、当該ＡＦ用信号に基づいて瞳分割位相差方式に従ってデフォーカス量が算出され、そのデフォーカス量に応じて合焦状態となるようにレンズ制御部２ａが撮影レンズ２を作動させて自動焦点調節を行う。さらに、図１９に示す動作モードにおいて、各一括読み出しモードのフレームで読み出されたＡＥ用信号が信号処理部５、Ａ／Ｄ変換部６及びメモリ７を経て露光演算部１４によって利用されて、当該ＡＥ用信号に基づいて最適な露光量を演算し、レンズ制御部２ａは露光演算部１４で得られた露光量に応じた露光量となるように撮影レンズ２の絞りを調整するとともに、撮像制御部４はこの露光量に応じたシャッタ時間を設定する。
【００８６】
本実施の形態によれば、前記第１の実施の形態と同様の利点が得られる。しかも、本実施の形態によれば、一括読み出しモードにおいてＡＦ用信号とＡＥ用信号のみならずライブビュー用信号も同じフレームで読み出すので、前記第１の実施の形態に比べて信号読み出しに要する時間を短縮することができる。
【００８７】
なお、本発明では、前記第１の実施の形態を変形して本実施の形態を得たのと同様の変形を、前記第２の実施の形態に適用してもよい。
【００８８】
以上、本発明の各実施の形態及びその変形例について説明したが、本発明はこれらに限定されるものではない。
【図面の簡単な説明】
【００８９】
【図１】本発明の第１の実施の形態に係る電子カメラを示す概略ブロック図である。
【図２】図１中の固体撮像素子の概略構成を示す回路図である。
【図３】図１中の固体撮像素子の画素を示す回路図である。
【図４】図１中の固体撮像素子の有効画素領域を模式的に示す概略平面図である。
【図５】図４中の撮像用画素の主要部を模式的に示す図である。
【図６】図４中の所定のＡＦ用画素の主要部を模式的に示す図である。
【図７】図４中の他の所定のＡＦ用画素の主要部を模式的に示す図である。
【図８】図１に示す電子カメラの所定動作モード時の、固体撮像素子からの信号読み出し状況を模式的に示すタイミングチャートである。
【図９】図１に示す電子カメラのライブビュー用読み出しモードの動作例を示すタイミングチャートである。
【図１０】図１に示す電子カメラのＡＦ＋ＡＥ読み出しモードの動作例を示すタイミングチャートである。
【図１１】本発明の第２の実施の形態による電子カメラで用いられる固体撮像素子を示す回路図である。
【図１２】図１１に示す固体撮像素子の画素ブロックを示す回路図である。
【図１３】図１１に示す固体撮像素子の有効画素領域を模式的に示す概略平面図である。
【図１４】本発明の第２の実施の形態による電子カメラのライブビュー用読み出しモードの動作例を示すタイミングチャートである。
【図１５】本発明の第２の実施の形態による電子カメラのＡＦ＋ＡＥ読み出しモードの動作例を示すタイミングチャートである。
【図１６】ＡＥ用信号の読み出し行の例を示す図である。
【図１７】ＡＥ用信号の読み出し行の他の例を示す図である。
【図１８】ＡＥ用信号の読み出し行の更に他の例を示す図である
【図１９】本発明の第３の実施の形態による電子カメラの所定動作モード時の、固体撮像素子からの信号読み出し状況を模式的に示すタイミングチャートである。
【符号の説明】
【００９０】
３  固体撮像素子
２０ａ，２０ｂ  ＡＦ用画素
２０ｅ  撮像用画素
【図１】
0005034840.tif 000002
【図２】
0005034840.tif 000003
【図３】
0005034840.tif 000004
【図４】
0005034840.tif 000005
【図５】
0005034840.tif 000006
【図６】
0005034840.tif 000007
【図７】
0005034840.tif 000008
【図８】
0005034840.tif 000009
【図９】
0005034840.tif 000010
【図１０】
0005034840.tif 000011
【図１１】
0005034840.tif 000012
【図１２】
0005034840.tif 000013
【図１３】
0005034840.tif 000014
【図１４】
0005034840.tif 000015
【図１５】
0005034840.tif 000016
【図１６】
0005034840.tif 000017
【図１７】
0005034840.tif 000018
【図１８】
0005034840.tif 000019
【図１９】
0005034840.tif 000020